(57)【要約】折り畳まれたときには小さく、容易に構築することができ、且つ組み立てられたときには頑丈である折畳み式足場が提供される。この折畳み式足場は、４本の支柱を２組の状態に配列してなり、その場合において、各々の支柱は３本又はそれ以上の入れ子式に収縮可能な節部から構成され、各組の支柱の節部間に剛性の水平な横桟が延びて二つの入れ子式に収縮可能な梯子構造体を形成し、それらの梯子構造体が、足場の使用に際して地面上に直接載置される。
2004522023.tif 000002
【特許請求の範囲】
【請求項１】
４本の支柱を２組の状態に配列した折畳み式足場であっ
て、各々の支柱は３本又はそれ以上の入れ子式に収縮可能な節部から構成され、各組の支柱の節部間に剛性の水平な横桟が延びて二つの入れ子式に収縮可能な梯子構造体を形成し、それらの梯子構造体が、足場の使用に際して地面上に直接載置されるようにした折畳み式足場。
【請求項２】
請求項１に記載の折畳み式足場において、二つの折畳み可能な梯子構造体が、二つの梯子構造体に本質的に互いに平行な状態を維持しながら互い接近及び離反させる折畳み可能な構造により、互いに恒常的に連結されている折畳み式足場。
【請求項３】
請求項２に記載の折畳み式足場において、折畳み構造が、互いに且つ二つの梯子構造体における支柱の個々の節部に対して垂直な軸を介して枢着された２枚の板片からなる折畳み門扉である折畳み式足場。
【請求項４】
請求項１〜３の何れかに記載の折畳み式足場において、梯子構造体は、足場がその基部よりも頂部でより狭くなるような小さく鋭い角度を呈するように互いに傾斜させられている折畳み式足場。
【請求項５】
請求項１〜４の何れかに記載の折畳み式足場において、引張り変形を防止するために、梯子構造体間及び各梯子構造体の縦枠間に交差補強材が延びている折畳み式足場。
【発明の詳細な説明】
【技術分野】
【０００１】
本発明は、折畳み式足場に関する。
【背景技術】
【０００２】
お互いの中に嵌め込むように設計された同種の剛性フレームから足場を形成することは知られている。各フレームは、二本の直立支柱、二本の水平横桟、及びフレームの剛性を維持するための補足的な筋交いを持った管状鋼体から形成されている。直立支柱は、それらの上端と下端とで相異なる直径を有し、それによって一方のフレームの底部を他方のフレームの頂部上に嵌め合わすことができる。足場を組み立てるために、二つのフレームが足場の両側面に配置され、その後、足場の前後のフレームが側面のフレームに結合される。そして、足場の側面に二つの更なるフレームを配設すると共にそれらを前後のフレームに結合することにより一連の過程が繰り返されるのである。
【０００３】
このような足場は、折り畳まれたときには大きく嵩張り、また足場に剛性を付与するために個々のフレーム間の良好な適合性に依存していることから、組み立てられたときにはぎくしゃくする。
【０００４】
英国特許第１，３１１，５６９号は、お互いに組み込んだ折畳み部材から構成される折畳み式足場を開示している。該足場は、折り畳まれたときには数個の独立した部材からなり、従ってそれほど小さくもなければ容易に輸送できるものでもない。
【０００５】
英国特許第９８８，２７０号もまた、基礎フレーム、伸長フレーム及び種々の支持構成材から形成される複雑な折畳み式足場を開示している。繰り返すように、独立したフレームの使用は、折り畳まれたときに構造を大きく嵩張らせることになる。
【特許文献１】
英国特許第１，３１１，５６９号
【特許文献２】
英国特許第９８８，２７０号
【発明の開示】
【発明が解決しようとする課題】
【０００６】
本発明は、従って、折り畳まれたときには小さく、容易に構築することができ、且つ組み立てられたときには頑丈である足場を提供しようとするものである。
【課題を解決するための手段】
【０００７】
本発明によれば、４本の支柱を２組の状態に配列した折畳み式足場が提供され、各々の支柱は３本又はそれ以上の入れ子式に収縮可能な節部から構成され、各組の支柱の節部間に剛性の水平な横桟が延びて二つの入れ子式に収縮可能な梯子構造体を形成し、それらの梯子構造体が、足場の使用に際して地面上に直接載置される。
【０００８】
英国特許第９８８，２７０号には、入れ子式に収縮可能な脚部を有する伸長フレームが開示されている。しかしながら、本発明に係る梯子構造体とは異なって、該伸長フレームは、地面上ではなく基礎フレーム上に支持される必要があり、またそれは唯一つの伸長可能節部を有しているに過ぎない。
【０００９】
取り外し可能な交差部材を用いる二つの折畳み可能な梯子構造体を互いに連結して剛性の梯子を形成することは可能であろうが、このような足場は、それを組み立てるために少なくとも二人の人々を必要とすることになろう。一人の操作による組立てを可能にするためには、二つの折畳み可能な梯子構造体の最下位の節部が、二つの梯子構造体に本質的に互いに平行な状態を維持しながら互い接近及び離反させる折畳み可能な構造により、互いに恒常的に連結されていることが好ましい。
【００１０】
このような折畳み構造は、梯子構造体を互いに連結するための枢着された横桟からなる伸縮自在ばさみ又は格子状システムからなるものであってもよいが、しかし、互いに且つ二つの梯子構造体における支柱の節部の個々のものに対して垂直な軸を介して枢着された２枚の板片からなる折畳み門扉を使用することが好ましい。
【発明を実施するための最良の形態】
【００１１】
ここにおいて、本発明を、実施例により、添付図面に照らしてさらに説明する。
図１は、本発明に係る伸長姿勢をとる第一実施態様の透視図であり、図２は、伸長姿勢をとる時の好ましい実施態様における門扉構造の正面図を示し、図３は、梯子に取り付けられた時の第一実施態様の側面図を示し、図４は、図１の透視図に代替する別の透視図を示し、図５は、本発明に係る伸長姿勢をとる時の第二実施態様の透視図を示す。
【００１２】
図１は足場１０を示し、その対向する２面は、各々、伸縮自在の梯子構造体１２及び１４から構成されている。足場の残りの対向面は、折畳み可能な門扉１８と交差筋交い３４により形成されている。伸縮自在の梯子構造体１２、１４の横桟２０ｂは、従来の足場に見出され得るものに類似する架台３６を支持している。
【００１３】
伸縮自在の梯子構造体１２、１４は、入れ子式に収縮可能な管状節部１６ａ、１６ｂ及び１６ｃから形成された縦枠１６を有している。各節部は横桟２０ａ、２０ｂ及び２０ｃを支持している。伸長時に、管状節部はばね荷重式ピン（図示されない）により各々互いに固定され、それによって縦枠１６が使用時に座屈することを防止している。さらに、全ての二つの接合した伸縮節部１６ａ、１６ｂ又は１６ｃを貫通する穴に手動で挿入され得る追加のピンを配備することにより、安全を得ることができる。折畳みに際しては、３本の横桟２０ａ、２０ｂ及び２０ｃが互いに隣接した状態に配置される。これにより、伸長時の足場の側面がそれらの折り畳まれた高さの凡そ３倍になることが可能になる。
【００１４】
図２は、二つの対向する梯子構造体を、２枚の門扉板片２４及び２６を有する門扉１８により、片側で互いに結合することにより形成される足場の第３側面を示している。
【００１５】
門扉板片２４、２６は開放フレームから形成され、垂直軸を介して互いに蝶着されている。門扉１８の残りの垂直端縁は、個々の梯子構造体における伸縮自在の縦枠１６の最下位の節部１６ａに蝶着されている。この設備は、足場における両梯子構造体の端部をほぼ垂直に配設し、構築を一人で実行することを可能にしている。
【００１６】
好ましい実施態様においては、門扉の板片は、それらを結合する蝶番４４に関して対称であり、台形の形状を呈している。その結果、梯子構造体は、互いに正確な平行状態にはなく、より頑丈なＡ字形フレームを形成している。蝶番はさらに、折畳み時には板片が中心の蝶番４４を介して内側に折れることを許容している。
【００１７】
支持横桟２８が、各梯子構造体における足部の真上にその伸縮自在の縦枠１６間において、折畳み可能な門扉１８の下端縁と整合するように配置され、それによって、構造の剛性を増大させている。剛性はさらに、各梯子構造体における支持横桟２８と横桟２０ａの間に対角線状に延びる筋交い棒３０及び３２の配備により増加させられる。緊張した交差配備は、何れかの方向への引張り変形に抵抗する。
【００１８】
足場１０における第４の最後の側面は、交差補強材３４を、門扉１８と平行に、梯子構造体１２、１４の垂直縦枠１６の間か支持横桟２８の間か何れかに架橋して装入することにより形成されている。交差補強材３４は、ねじ込みクランプのように従来方法によりこれらの何れかに固定されている。
【００１９】
これにより、足場１０の第一段が完成する。伸縮自在の梯子構造体１２、１４における第二及び第三横桟２０ｂ及び２０ｃは、梯子構造体が最大高さまで伸長されたときに第二及び第三段を明確に画定する。足場の使用者に支援床を与えるための架台３６は、横桟２０ｂに支持されると共にそれに適当な手段を用いて固定されている。これにより、足場の構造的剛性はさらに増大する。
【００２０】
図３は、架台に容易に接近することを許容するために足場に結合された梯子４６を示している。梯子４６は、輸送の容易性のために、それ自体、折畳み自在であってもよい。組立てを支援するために、梯子４６が何れかの横桟２０ａに結合されてもよい。これは、使用者が架台ボードを装入するために十分な高さに到達することを可能にする一方、安定性を与えるものである。
【００２１】
Ａ字形フレームの構造は引張り変形を起こし難くするが、その剛性は、伸縮自在の引張り棒３８及び４０の装入によりさらに改良される。これらは、筋交い棒３０及び３２と機能面で類似している。棒３８及び４０の伸縮性は、それらが、足場１０を不使用時に折り畳むために必要とされる方向に同様に収縮することを許容する。筋交い棒３０及び３２は、足場の形態とは無関係に一定のままに保持された間隔に架橋しているので、前記特徴は、それら筋交い棒３０及び３２の要求事項ではない。伸縮自在の引張り棒３８及び４０は、一方の梯子構造体の支持横桟２８から対向する梯子構造体の横桟２０ｂに対角線状に架橋している。伸縮自在の引張り棒３８及び４０は、梯子構造体１２、１４の伸縮自在の縦枠１６に使用されるものに類似するばね荷重式止めピンを使用することができる。これらは、引張り棒に引張り強さと圧縮強さの両方を与えるとしても、足場の折畳みをより困難にすることになろう。ピンの代わりに、引張り棒がそれらの折畳みを妨げることなしに伸長することを防止するために、バネ付勢された爪状部材を使用することができる。足場が全体的に折畳み可能になるために、伸縮自在の引張り棒３８、４０は各々、少なくとも３節部からなる必要がある。前記に代わって、伸縮自在の引張り棒３８及び４０は、足場が構築される度に取付けを必要とするであろう固定支持棒と取り替えることもできる。
【００２２】
剛性のみならず安全性を得るために、支持棒４２が、対向する梯子構造体１２、１４の横桟２０ｃ間に結合されている。これは、構築された足場を完成させるが、さらなる補強が採用されてもよい。
【００２３】
足場１０を折り畳むためには、支持棒４２、架台３６及び交差補強材３４を全て取り外す必要がある。その後、ばね荷重式ピンを解除し、そして上方の横桟２０ｂ及び２０ｃを下方向に引くことにより、伸縮自在の縦枠１６を収縮させることが必要である。
【００２４】
この段階では、部分的に折り畳まれた足場は、格子囲いの幼児用遊び場に類似するように見える。折畳みの最終段階は、伸縮自在の門扉１８が、その蝶番２４に関して、今や部分的に収縮した伸縮自在の引張り棒３８、４０の方向に曲げられることが必要である。上方から見れば、この時点における足場はＭ字形に見えることであろう。門扉１８は、その後、完全に折り畳まれ、そして梯子構造体１２、１４が寄せ集まり、同時に、伸縮自在の引張り棒がそれらの完全に収縮した姿勢をとることになる。この最終姿勢は、非常に高い空間効率性を有し、保管及び輸送を容易にすることに寄与している。
【００２５】
図５は、一人で折り畳むことができると共に容易に構築することができるという利点をやはり有し、概して従来の足場のように使用されるようにした第二の実施態様を示している。
【００２６】
足場５０は、構造において先の実施態様と類似しており、主な相違点は、足場５０の側面を形成する梯子構造体が平行であることにある。構築の助けとなるように、本実施態様は、先の実施態様に関して記載されたものに類似する伸縮自在の門扉５６を用いている。
【００２７】
第二の実施態様は、さらに、二つの架台５８を使用することにおいて相違している。これらは、その中に切抜き部６０が形成されていてもよく、それによって梯子を架台の間に配置することを可能にして、さらに高い位置への上昇を許容している。
【００２８】
図５の実施態様もまた、支持横桟２８に類似する支持横桟６２を使用している。二方向への引張り変形は、伸縮自在の梯子構造体５２及び５４における各々の横桟の間に結合された伸縮自在の交差補強材６４及び６６により軽減される。交差補強材６４及び６６は、一方を他方の中に収縮させることができる入れ子式の節部から構成されるが、引っ掛けその他の接合部により、それらがある点を越えて伸長することが妨げられている。それらは、ある点を越えて伸長することができないので、張り線と同様の仕方で作用して引張り変形を防止するが、それらは、収縮させられることができるので、足場の折畳みを妨げることはない。
【００２９】
足場の幅に平行な方向への引張り変形は、対向する梯子構造体における隣接する高さの横桟間に延びる、より長い伸縮自在の交差補強材６８及び７０によりさらに軽減される。これらは、剛性の取り外し可能な交差補強材と取り替えてもよいが、この配備は、容易に構築され或いは折り畳まれるようにはならないであろう。
【図面の簡単な説明】
【００３０】
【図１】本発明に係る伸長姿勢をとる第一実施態様の透視図である。
【図２】伸長姿勢をとる時の好ましい実施態様における門扉構造の正面図である。
【図３】梯子に取り付けられた時の第一実施態様の側面図である。
【図４】図１の透視図に代替する別の透視図である。
【図５】本発明に係る伸長姿勢をとる時の第二実施態様の透視図である。
【符号の説明】
【００３１】
１０：足場
１２、１４：梯子構造体
１６：縦枠
１６ａ、１６ｂ、１６ｃ：節部
１８：門扉
２０ａ、２０ｂ、２０ｃ：横桟
２８：支持横桟
３０、３２：筋交い棒
３４：交差筋交い
３６：架台
３８、４０：引張り棒
４２：支持棒
【図１】
2004522023.tif 000003
【図２】
2004522023.tif 000004
【図３】
2004522023.tif 000005
【図４】
2004522023.tif 000006
【図５】
2004522023.tif 000007
【国際公開パンフレット】
2004522023.tif 000008
2004522023.tif 000009
2004522023.tif 000010
2004522023.tif 000011
2004522023.tif 000012
2004522023.tif 000013
2004522023.tif 000014
2004522023.tif 000015
2004522023.tif 000016
2004522023.tif 000017
2004522023.tif 000018
2004522023.tif 000019
2004522023.tif 000020
【国際調査報告】
2004522023.tif 000021
2004522023.tif 000022